(57)【要約】【課題】ランプの寿命をより向上させることができる投写型映像表示装置を提供する。【解決手段】光を投射することによって映像を表示する投写型映像表示装置であるプロジェクタ１は、光源として使用されるランプ２と、ランプ２に電流を供給することによりランプ２を駆動するランプ駆動部６と、ランプ２に供給される電流を制御する制御部１１とを備える。制御部１１は、ランプ駆動部６を制御することにより、ランプ２の点灯開始時においてランプ２に供給される電流を、ランプ２の使用頻度に応じて制御できるように構成されている。【選択図】図１
2011023246.tif 000002
【特許請求の範囲】
【請求項１】
光源として使用されるランプと、前記ランプに電流を供給することにより前記ランプを駆動するランプ駆動部と、前記ランプに供給される電流を制御する制御部とを備え、光を投射することによって映像を表示する投写型映像表示装置であって、
前記制御部は、前記ランプ駆動部を制御することにより、前記ランプの点灯開始時において前記ランプに供給される電流を、前記ランプの使用頻度に応じて制御できるように構成されていることを特徴とする投写型映像表示装置。
【請求項２】
前記ランプの点灯方式が設定される複数の点灯モードを有し、前記ランプの使用頻度に応じた点灯モードを選択するためにユーザにより操作される操作部を備え、
前記制御部は、前記操作部を用いて選択された点灯モードに基づいて、前記ランプの使用頻度が高いか否かを判定する
ことを特徴とする請求項１に記載の投写型映像表示装置。
【請求項３】
前記ランプの点灯開始時において前記ランプに供給される電流についての情報を記憶する記憶部を備え、
前記制御部は、前記操作部を用いて選択された点灯モードに基づいて前記情報を前記記憶部から取得し、さらに、取得した前記情報に基づいて前記ランプ駆動部を制御する
ことを特徴とする請求項２に記載の投写型映像表示装置。
【請求項４】
点灯モードを選択するためにユーザにより参照される映像を生成する映像生成部を備えていることを特徴とする請求項２または請求項３に記載の投写型映像表示装置。
【請求項５】
前記制御部は、前記ランプの使用状況に基づいて前記ランプの使用頻度が高いか否かを判定することを特徴とする請求項１乃至請求項４のいずれか一項に記載の投写型映像表示装置。
【請求項６】
前記ランプの点灯時間に基づいて、前記ランプの使用頻度が高いか否かが判定されることを特徴とする請求項５に記載の投写型映像表示装置。
【請求項７】
前記ランプの点灯時間は、繰り返し点灯される前記ランプの複数回の点灯に基づく点灯時間であることを特徴とする請求項６に記載の投写型映像表示装置。
【請求項８】
前記制御部は、前記ランプの点灯時間が所定の時間に比べて短い場合には、前記ランプの使用頻度が高いと判定することを特徴とする請求項６または請求項７に記載の投写型映像表示装置。
【請求項９】
前記制御部は、前記ランプの使用頻度が高いか否かを判定して、前記ランプの使用頻度が高くないと判定したときには、前記ランプの点灯開始時において第１の電流を前記ランプに供給するように前記ランプ駆動部を制御するとともに、前記ランプの使用頻度が高いと判定したときには、前記ランプの点灯開始時において前記第１の電流に比べて小さい第２の電流を前記ランプに供給するように前記ランプ駆動部を制御することを特徴とする請求項１乃至請求項８のいずれか一項に記載の投写型映像表示装置。
【請求項１０】
前記ランプの点灯開始時において前記ランプの使用頻度に応じて前記ランプに供給される電流は、前記ランプに印加される電圧が所定の電圧以上になるまで供給され続けることを特徴とする請求項１乃至請求項９のいずれか一項に記載の投写型映像表示装置。
【発明の詳細な説明】
【技術分野】
【０００１】
本願発明は、光源として使用されるランプと、電力を供給してランプを駆動するランプ駆動部と、ランプ駆動部を制御する制御部とを備えた投写型映像表示装置に関するものである。
【背景技術】
【０００２】
光を投射することによって映像を表示する投写型映像表示装置においては、光を発する光源として超高圧水銀ランプ等のランプを使用することが知られている。ランプには、投写型映像表示装置が備えるランプ駆動部から電流が供給される。
【０００３】
また、ランプの寿命を向上させる方法として、ランプの点灯開始時（即ち、立ち上げ時）において、ランプに供給する電流を制限することが知られている（例えば、特許文献１及び２参照）。特許文献１には、ランプの温度に応じて電流を制御することが記載されており、特許文献２には、ランプの電圧に応じて電流を制御することが記載されている。
【先行技術文献】
【特許文献】
【０００４】
【特許文献１】特開２００７−２６５８６０号公報
【特許文献２】特開２００７−３２２４５６号公報
【発明の概要】
【発明が解決しようとする課題】
【０００５】
ところで、投写型映像表示装置の使用用途によっては、上記特許文献１及び２に記載される発明を適用してもランプの寿命を十分に向上させることができない場合がある。例えば、電源オンと電源オフの切り替えが頻繁に行われる用途で投写型映像表示装置が使用されるときには、ランプの寿命が低下する場合があるという問題があった。
【０００６】
本発明は、こうした実情に鑑みてなされたものであり、その目的は、ランプの寿命をより向上させることができる投写型映像表示装置を提供することにある。
【課題を解決するための手段】
【０００７】
以下、上記目的を達成するための手段及びその作用効果について記載する。
請求項１に記載の発明は、光源として使用されるランプと、ランプに電流を供給することによりランプを駆動するランプ駆動部と、ランプに供給される電流を制御する制御部とを備え、光を投射することによって映像を表示する投写型映像表示装置であって、制御部は、ランプ駆動部を制御することにより、ランプの点灯開始時においてランプに供給される電流を、ランプの使用頻度に応じて制御できるように構成されていることを特徴とする。
【０００８】
ランプの使用頻度は、投写型映像表示装置の電源オンと電源オフ（即ち、ランプへの電流の供給の開始と停止）の切り替えに関連する。例えば、映像を表示する時間が長いために投写型映像表示装置の電源オンと電源オフの切り替えが頻繁に行われない場合には、ランプの使用頻度は低い。これに対して、映像を表示する時間が短く投写型映像表示装置の電源オンと電源オフの切り替えが頻繁に行われる場合には、ランプの使用頻度は高い。ランプの使用頻度が高ければ、点灯開始時にランプに負荷を掛ける回数が多く、ランプの寿命が低下する場合がある。
【０００９】
請求項１に係る発明の構成によれば、制御部は、ランプ駆動部を制御することにより、ランプの点灯開始時においてランプに供給される電流を、ランプの使用頻度に応じて制御できるように構成されている。このため、投写型映像表示装置の電源オンと電源オフの切り替えが頻繁に行われない場合には、従来と同様の電流がランプに供給されるようにランプ駆動部を制御し、投写型映像表示装置の電源オンと電源オフの切り替えが頻繁に行われる場合には、従来と比べて小さい電流がランプに供給されるようにランプ駆動部を制御するように投写型映像表示装置を構成することができる。このように構成することによって、ランプの使用頻度が高い場合には、ランプの点灯開始時においてランプに供給される電流を小さくして、ランプに掛かる負荷を低減することができる。その結果、ランプの使用頻度に応じて点灯開始時においてランプに掛かる負荷を低減することができ、ランプの寿命をより向上させることができる。
【００１０】
請求項２に記載の発明は、請求項１に記載の投写型映像表示装置であって、ランプの点灯方式が設定される複数の点灯モードを有し、ランプの使用頻度に応じた点灯モードを選択するためにユーザにより操作される操作部を備え、制御部は、操作部を用いて選択された点灯モードに基づいて、ランプの使用頻度が高いか否かを判定することを特徴とする。
【００１１】
同構成によれば、制御部は、操作部を用いて選択された点灯モードに基づいて、ランプの使用頻度が高いか否かを判定する。このため、ユーザが制御部の判定に関与することができ、ランプの点灯開始時においてランプに供給される電流を、ユーザの操作により制御することができる。
【００１２】
請求項３に記載の発明は、請求項２に記載の投写型映像表示装置であって、ランプの点灯開始時においてランプに供給される電流についての情報を記憶する記憶部を備え、制御部は、操作部を用いて選択された点灯モードに基づいて上記情報を記憶部から取得し、さらに、取得した情報に基づいてランプ駆動部を制御することを特徴とする。
【００１３】
同構成によれば、制御部は、操作部を用いて選択された点灯モードに基づいて、ランプの点灯開始時においてランプに供給される電流についての情報を記憶部から取得し、取得した情報に基づいてランプ駆動部を制御する。このため、投写型映像表示装置が備える記憶部に記憶されている情報に基づいて、ランプの点灯開始時においてランプに供給する電流を制御することができる。
【００１４】
請求項４に記載の発明は、請求項２または請求項３に記載の投写型映像表示装置であって、点灯モードを選択するためにユーザにより参照される映像を生成する映像生成部を備えていることを特徴とする。
【００１５】
同構成によれば、点灯モードを選択するためにユーザにより参照される映像を生成する映像生成部を備えているため、ユーザは生成された映像を参照することにより、ランプの寿命を向上させるための点灯モードを容易に選択することができる。
【００１６】
請求項５に記載の発明は、請求項１乃至請求項４のいずれか一項に記載の投写型映像表示装置であって、制御部は、ランプの使用状況に基づいてランプの使用頻度が高いか否かを判定することを特徴とする。
【００１７】
同構成によれば、制御部は、ランプの使用状況に基づいてランプの使用頻度が高いか否かを判定するため、ユーザが制御部の判定に関与せずに、ランプの使用頻度が高いか否かを制御部に判定させることができる。
【００１８】
請求項６に記載の発明は、請求項５に記載の投写型映像表示装置であって、ランプの点灯時間に基づいて、ランプの使用頻度が高いか否かが判定されることを特徴とする。
同構成によれば、ランプの点灯時間に基づいて、ランプの使用頻度が高いか否かが判定される。従って、ランプの点灯時間を用いて、ランプの使用頻度が高いか否かを制御部に判定させることができる。
【００１９】
請求項７に記載の発明は、請求項６に記載の投写型映像表示装置であって、ランプの点灯時間は、繰り返し点灯されるランプの複数回の点灯に基づく点灯時間であることを特徴とする。
【００２０】
同構成によれば、ランプの点灯時間は、繰り返し点灯されるランプの複数回の点灯に基づく点灯時間である。従って、ランプの平均点灯時間を用いて、全般的な傾向としてランプの使用頻度が高いか否かを制御部に判定させることができる。
【００２１】
請求項８に記載の発明は、請求項６または請求項７に記載の投写型映像表示装置であって、制御部は、ランプの点灯時間が所定の時間に比べて短い場合には、ランプの使用頻度が高いと判定することを特徴とする。
【００２２】
同構成によれば、制御部は、ランプの点灯時間が所定の時間に比べて短い場合には、ランプの使用頻度が高いと判定する。従って、ランプの点灯時間と所定の時間との長さを対比させることにより、ランプの使用頻度が高いか否かを制御部に判定させることができる。
【００２３】
請求項９に記載の発明は、請求項１乃至請求項８のいずれか一項に記載の投写型映像表示装置であって、制御部は、ランプの使用頻度が高いか否かを判定して、ランプの使用頻度が高くないと判定したときには、ランプの点灯開始時において第１の電流をランプに供給するようにランプ駆動部を制御するとともに、ランプの使用頻度が高いと判定したときには、ランプの点灯開始時において第１の電流に比べて小さい第２の電流をランプに供給するようにランプ駆動部を制御することを特徴とする。
【００２４】
同構成によれば、制御部は、ランプの使用頻度が高いか否かを判定して、ランプの使用頻度が高いと判定したときには、ランプの点灯開始時において、比較的小さい電流（即ち、第１の電流に比べて小さい第２の電流）をランプに供給するように、ランプ駆動部を制御する。このため、制御部によってランプの使用頻度が高いと判定されたときに、ランプ２に掛かる負荷が低減される。
【００２５】
請求項１０に記載の発明は、請求項１乃至請求項９のいずれか一項に記載の投写型映像表示装置であって、ランプの点灯開始時においてランプの使用頻度に応じてランプに供給される電流は、ランプに印加される電圧が所定の電圧以上になるまで供給され続けることを特徴とする。
【００２６】
同構成によれば、ランプの点灯開始時においてランプの使用頻度に応じてランプに供給される電流は、ランプに印加される電圧が所定の電圧以上になるまで供給され続けるため、例えばランプを駆動させるために適切な電圧がランプに印加されるまでの時間を利用して、ランプの寿命を向上させることができる。
【発明の効果】
【００２７】
本発明によれば、ランプの使用頻度に応じて点灯開始時においてランプに掛かる負荷を低減することができ、ランプの寿命をより向上させることができる。
【図面の簡単な説明】
【００２８】
【図１】本発明の実施形態に係るプロジェクタの概略構成を示すブロック図。
【図２】ランプの点灯開始からの経過時間とランプに印加される電圧との関係を説明するためのグラフ。
【図３】第１の実施形態において、点灯モードが選択される際のプロジェクタの動作の流れを説明するためのフローチャート。
【図４】点灯モードを選択するためにユーザにより参照される映像の一例を示す図。
【図５】点灯モードに応じて、ランプの点灯開始時においてランプに供給される電流を説明するためのテーブル。
【図６】第１の実施形態において、ランプの点灯開始時のプロジェクタの動作の流れを説明するためのフローチャート。
【図７】ランプに印加される電圧とランプに供給される電流との関係を説明するためのグラフ。
【図８】第２の実施形態において、ランプの点灯時間を算出する際のプロジェクタの動作の流れを説明するためのフローチャート。
【図９】ランプの点灯時間に応じて、ランプの点灯開始時においてランプに供給される電流を説明するためのグラフ。
【図１０】第２の実施形態において、ランプの点灯開始時のプロジェクタの動作の流れを説明するためのフローチャート。
【発明を実施するための形態】
【００２９】
（第１の実施形態）
本発明に係る投写型映像表示装置は、外部から入力される映像信号に基づいて、光を投射することにより映像を投写して表示するプロジェクタ１である。以下、本発明の第１の実施形態について、図１〜図７を参照して説明する。
【００３０】
図１に示すように、プロジェクタ１は、映像を投写して表示するための光学部品として、映像表示用の光源として使用されるランプ２と、ランプ２から出射された光を用いて映像を生成する映像生成部３と、映像生成部３により生成された映像を拡大して投写するための投写レンズ４とを備えている。
【００３１】
光を発するランプ２は、超高圧水銀ランプやメタルハライドランプ等の放電ランプである。消灯状態のランプ２に電力が供給されることにより、ランプ２は光を発する状態（点灯状態）になる。具体的には、ランプ２は水銀等が封入された発光管を有しており、発光管の内部の電極間に電圧が印加されることにより、アーク放電によってランプ２は発光する。
【００３２】
映像生成部３は、例えば、ドットマトリクス型のライトバルブである液晶パネル、または微小鏡を格子状に配列したＤＭＤ（Digital Micromirror Device）等を備えた装置である。ランプ２から出射された光が、液晶パネルを透過したりＤＭＤで反射されたりすることによって、映像生成部３により映像が生成される。映像生成部３には映像信号が入力され、液晶パネルまたはＤＭＤ等を備えた映像生成部３は、入力された映像信号に基づいて駆動される。
【００３３】
投写レンズ４は、映像生成部３により生成された映像の光を投射するレンズ群である。投写レンズ４が映像の光をスクリーンや壁等に向けて投射することにより、プロジェクタ１はスクリーンや壁等の平面上に映像を表示する。
【００３４】
また、プロジェクタ１は、ランプ２に電力を供給するための構成要素として、プロジェクタ１の各部に電力を供給するための電源回路５と、ランプ２に電力を供給してランプ２を駆動するランプ駆動部６とを備えている。
【００３５】
電源回路５は、商用電源から例えば３００〜４００Ｖの直流電圧を得る回路である。電源回路５によって昇圧された電圧がランプ駆動部６に供給されることにより、ランプ２を駆動するための電力がランプ駆動部６に供給される。また、電源回路５は、ランプ駆動部６に電力を供給するだけでなく、プロジェクタ１が備える制御部１１等にも電力を供給する。
【００３６】
ランプ駆動部６は、ランプ２を点灯させるための回路を備えた点灯装置である。ランプ駆動部６は、負荷であるランプ２の抵抗（即ち、負荷抵抗）が変化した場合であっても安定した電力をランプ２に供給するためのランプバラスト回路、ランプ２の電極間の絶縁破壊を発生させるためのイグナイタ回路等を備えており、電源回路５から得られる電力を用いてランプ２に電力を供給する。また、ランプ駆動部６には制御信号が入力され、ランプ駆動部６は、入力された制御信号に基づいて、ランプ２に供給される電流を制御する回路を備えている。ランプ駆動部６は、ランプ２に電流を供給することによりランプ２に電力を供給してランプ２を駆動させる（即ち、点灯させる）。
【００３７】
従って、ランプ２への電流の供給が開始されて継続されている状態においては、ランプ２は点灯し、ランプ２への電流の供給が停止されている状態においては、ランプ２は消灯する。以下、「ランプ２への電流の供給が開始されて継続されている状態」を「電源オン」とし、「ランプ２への電流の供給が停止されている状態」を「電源オフ」とする。従って、電源オン及び電源オフはプロジェクタ１の状態を示しており、電源オンの状態においてはランプ２以外のプロジェクタ１の各部へも電力が供給され、電源オフの状態においてはプロジェクタ１の各部へも電力の供給が停止される。なお、電源オフの状態において電力の供給が停止される構成要素には、プロジェクタ１を電源オンにするための構成要素は含まれない。
【００３８】
ここで、ランプ２の点灯時においてランプ２に印加される電圧を、図２を参照して説明する。図２は、ランプ２の点灯開始から時間が経つにつれてランプ２に印加される電圧が変化する様子の一例を示すグラフである。
【００３９】
図２に示すように、ランプ駆動部６からランプ２に電力の供給が開始されてランプ２が点灯すると、ランプ２の点灯開始から時間が経つにつれて、ランプ２に印加される電圧は上昇し、その後、所定の電圧付近で略一定となる。図２で示す一例においては、ランプ２の点灯開始から約６０秒経過後に、ランプ２に印加される電圧は８０Ｖ付近で略一定となる。
【００４０】
また、プロジェクタ１は、プロジェクタ１の外部から入力される映像信号に基づき映像生成部３を動作させるための構成要素として、映像信号入力部７と、映像信号処理部８とを備えている。
【００４１】
映像信号入力部７は、例えばコンポーネントケーブル等が接続される端子により構成されている。映像信号入力部７を介してＰＣ（Personal Computer）やＤＶＤプレーヤー等の外部機器からプロジェクタ１に映像信号が入力される。
【００４２】
映像信号処理部８は、映像信号入力部７を介してプロジェクタ１に入力された映像信号に対して種々の信号処理を施す集積回路である。また、映像信号処理部８には制御信号が入力され、映像信号処理部８は、入力された制御信号に基づいて、ＯＳＤ（On Screen Display）に用いられるＯＳＤ画像を映像に重ね合わせるための信号処理を施す。信号処理が施された映像信号は、映像信号処理部８から映像生成部３に入力される。
【００４３】
また、プロジェクタ１は、ユーザにより操作される操作部９と、プロジェクタ１の各部を制御するための情報が記憶された記憶部１０と、記憶部１０に記憶されているプログラムに基づいてプロジェクタ１の各部を制御する制御部１１とを備えている。
【００４４】
操作部９は、電源オンと電源オフを切り替えるための電源ボタン、ランプ２の点灯方式を設定するためのＯＳＤ画像を表示させるメニューボタン、ＯＳＤ画像を含む映像においてカーソルを移動させるためのカーソル移動ボタン、カーソルにより指し示される対象を選択するための選択ボタン等により構成されている。操作部９が操作されることにより、電源オフから電源オンに切り替える電源オンの信号、電源オンから電源オフに切り替える電源オフの信号、ＯＳＤ画像を表示させるＯＳＤ画像表示信号、カーソルを移動させるカーソル移動信号、及びカーソルが指し示す対象を選択する選択信号等が制御部１１に入力される。
【００４５】
記憶部１０は、プロジェクタ１が電源オンの状態であるときだけでなく、プロジェクタ１が電源オフの状態であるときにも情報を記憶し続ける不揮発性のメモリである。記憶部１０は、例えば情報の書き込み及び消去が可能なＥＥＰＲＯＭ等により構成され、記憶部１０には、映像に重ね合わせられるＯＳＤ画像や、制御部１１を動作させるプログラム等の情報が予め記憶されている。
【００４６】
制御部１１は、プロジェクタ１内の各部を制御する集積回路であって、記憶部１０に記憶されているプログラム等の情報や、操作部９が操作されることにより入力される信号に基づいて、ランプ駆動部６や映像信号処理部８等に制御信号を出力する。このようにして制御信号をランプ駆動部６や映像信号処理部８等に入力することにより、制御部１１は、ランプ駆動部６や映像信号処理部８等を制御する。制御部１１は、ランプ駆動部６を制御することによりランプ２に供給される電流を制御する。
【００４７】
プロジェクタ１の各部を制御する制御部１１は、マイコンにより構成することができ、この場合、記憶部１０と制御部１１を１つのマイコンにより構成することによって、プロジェクタ１の構成の簡略化を図ることができる。また、制御部１１をＣＰＵ（Central Processing Unit）により構成することもでき、この場合、映像信号処理部８等その他の回路を１つのＣＰＵにより構成して、プロジェクタ１の構成の簡略化を図ることができる。
【００４８】
ここで、本実施形態においては、制御部１１が、ランプ駆動部６を制御することにより、ランプ２の点灯開始時においてランプ２に供給される電流を、ランプ２の使用頻度に応じて制御できるように構成されていることに特徴がある。以下、本発明について詳細に説明する。
【００４９】
本実施形態に係るプロジェクタ１は、プロジェクタ１の使用用途に応じてランプ２の点灯方式が設定される複数の点灯モードを有している。複数の点灯モードのうち１つの点灯モードが、操作部９を用いてプロジェクタ１のユーザにより選択される。
【００５０】
点灯モードは、プロジェクタ１の使用用途に適した電流がランプ２に供給されるようにユーザにより選択される。本実施形態においては、プロジェクタ１は、選択可能な点灯モードとして、通常モードと長寿命モードの２つの点灯モードを有している。通常モードは、例えば、ランプ２が１時間以上点灯し続けるようなプロジェクタ１の使用（例えば、会議のプレゼンテーションにおける使用）が日常的である場合に適した点灯モードである。また、長寿命モードは、例えば、ランプ２が１０分間の点灯と９０分間の消灯とを交互に繰り返すようなプロジェクタ１の使用（例えば、映画館において広告を表示するための使用）が日常的である場合に適した点灯モードである。
【００５１】
プロジェクタ１が電源オンの状態において、ユーザにより点灯モードが選択される際のプロジェクタ１の動作の流れを、図３を参照して説明する。図３に示すプロジェクタ１の一連の動作は、例えば、操作部９が操作されることに起因して、ＯＳＤ画像表示信号が制御部１１に入力されることによりスタートする。
【００５２】
図３に示すように、まず、プロジェクタ１は、点灯モードをユーザに選択させるために、通常モード及び長寿命モードのいずれかをユーザに選択させるための映像を表示する（ステップＳ１）。
【００５３】
具体的には、ステップＳ１においては、制御部１１から映像信号処理部８に制御信号が入力されることによって、図４に示すような点灯モードを選択させるためのＯＳＤ画像を、映像に重ね合わせる処理が映像信号処理部８によって行われる。従って、ステップＳ１においては、上記ＯＳＤ画像を映像に重ね合わせる信号処理が行われることにより、映像生成部３において点灯モードを選択させるための映像が生成され、その映像が投写レンズ４を用いて投写されて表示される。
【００５４】
点灯モードを選択させるためのＯＳＤ画像は、例えば図４に示すように、選択対象となる点灯モードと、複数の点灯モードのいずれかを指し示すカーソル等を含んでいる。ユーザは、このようなＯＳＤ画像を参照することによって、操作部９を操作してカーソルを移動させ、さらにカーソルが指し示す点灯モードを選択することができる。
【００５５】
次いで、プロジェクタ１は、点灯モードとして長寿命モードがユーザにより選択されたか否かを判断する（ステップＳ２）。この判断は、操作部９が操作されることに起因して、制御部１１に入力されたカーソル移動信号及び選択信号に基づいて制御部１１が判断する。
【００５６】
ステップＳ２において点灯モードとして長寿命モードが選択されたと判断された場合には、プロジェクタ１は、点灯モードが長寿命モードであることを記憶部１０に記憶する（ステップＳ３）。具体的には、ステップＳ３においては、制御部１１が、ランプ２の点灯方式が設定される点灯モードが、長寿命モードであることを示す情報を記憶部１０に記憶させる。
【００５７】
一方、ステップＳ２において点灯モードとして長寿命モードが選択されなかったと判断された場合には、プロジェクタ１は、点灯モードが通常モードであることを記憶部１０に記憶する（ステップＳ４）。具体的には、ステップＳ４においては、制御部１１が、ランプ２の点灯方式が設定される点灯モードが、通常モードであることを示す情報を記憶部１０に記憶させる。記憶部１０に記憶される点灯モードは、ランプ２の点灯開始時においてランプ２に供給される電流についての情報である。
【００５８】
以上のようにして点灯モードがユーザにより選択されて、選択された点灯モードが記憶部１０に記憶されることにより、ランプ２の点灯方式が設定される。ステップＳ３またはステップＳ４で点灯モードが記憶部１０に記憶された後、電源オンと電源オフが切り替えられてプロジェクタ１が電源オンの状態となったときには、記憶部１０に記憶されている点灯モードの情報に基づいて、ランプ２に供給される電流が制御部１１により制御される。なお、ユーザにより点灯モードが選択される操作が行われるまでは、デフォルトの点灯モードとしていずれかの点灯モードが記憶部１０に記憶されている。
【００５９】
ここで、通常モードと長寿命モードとの相違点を具体的に説明する。図５に示すように、通常モードにより設定されるランプ２の点灯方式と、長寿命モードにより設定されるランプ２の点灯方式とでは、ランプ２の点灯開始時においてランプ２に供給される電流が異なる。第２の電流は第１の電流に比べて小さい電流であり、具体的には、第１の電流は例えば３Ａであって、第２の電流は例えば２Ａである。これら電流の大きさの相違以外は、通常モードと長寿命モードにより設定されるランプ２の点灯方式は同じである。
【００６０】
次に、プロジェクタ１が電源オンの状態となったときにおける、点灯モードに基づくプロジェクタ１の動作の流れを示すフローチャートを、図６を参照して説明する。図６に示すプロジェクタ１の一連の動作は、操作部９が操作されることに起因して、電源オンの信号が制御部１１に入力されることによりスタートする。
【００６１】
図６に示すように、まず、プロジェクタ１は、点灯モードが長寿命モードであるか否かを判断する（ステップＳ１１）。具体的には、ステップＳ１１においては、制御部１１が記憶部１０に記憶されている点灯モードを示す情報を取得して、記憶部１０から取得した情報が通常モード及び長寿命モードのいずれの点灯モードを示す情報であるかを判断することによって、点灯モードが長寿命モードであるか否かを判断する。
【００６２】
ステップＳ１１において点灯モードが長寿命モードでないと判断されたときには、ランプ駆動部６は、ランプ２の点灯開始時において第１の電流をランプ２に供給する（ステップＳ１２）。具体的には、ステップＳ１２においては、制御部１１が、消灯状態のランプ２に第１の電流を供給するようにランプ駆動部６を制御し、ランプ駆動部６によって第１の電流がランプ２に供給される。
【００６３】
一方、ステップＳ１１において点灯モードが長寿命モードであると判断されたときには、ランプ駆動部６は、ランプ２の点灯開始時において第２の電流をランプ２に供給する（ステップＳ１３）。具体的には、ステップＳ１３においては、制御部１１が、消灯状態のランプ２に第２の電流を供給するようにランプ駆動部６を制御し、ランプ駆動部６によって第２の電流がランプ２に供給される。
【００６４】
以上のようにして、ランプ２の点灯開始時においては、第１の電流または第２の電流がランプ２に供給される。第１の電流または第２の電流がランプ２に供給されることにより、ランプ２に電力が供給されてランプ２が点灯を開始する。
【００６５】
第１の電流及び第２の電流についての情報は、制御部１１が実行するプログラムに含まれており記憶部１０に予め記憶されている。制御部１１は、操作部９を用いて選択された点灯モードに基づいて、第１の電流または第２の電流についての情報を記憶部１０から取得して、その電流の情報に基づいてランプ駆動部６を制御してランプ２に電流を供給させる。
【００６６】
ランプ２の点灯時においてランプ駆動部６によってランプ２に供給される電流を、図７を参照して説明する。図７は、ランプ２に印加される電圧に応じて、ランプ２に供給される電流が変化する様子の一例を示すグラフである。
【００６７】
図７に示すように、ランプ２に印加される電圧が所定の電圧以上であるときには、ランプ駆動部６により、ランプ２に供給される電力が一定となるような電流がランプ２に供給される。即ち、例えば図７に示すように、ランプ２に印加される電圧が６０Ｖ以上であるときには、ランプ２に印加される電圧が高くなるにつれて、ランプ２に供給される電流は小さくなる。
【００６８】
また、ランプ２に印加される電圧が所定の範囲内であるときには、ランプ駆動部６により、ランプ２に十分な電力が供給されるように一定の大きい電流がランプ２に供給される。即ち、例えば図７に示すように、ランプ２に印加される電圧が６０Ｖ未満であって４０Ｖ以上であるときには、第１の電流及び第２の電流よりも大きな一定の電流がランプ２に供給される。
【００６９】
そして、ランプ２に印加される電圧が所定の電圧未満であるときには、ランプ駆動部６により、ユーザにより選択された点灯モードに応じて、第１の電流及び第２の電流のいずれかがランプ２に供給される。即ち、例えば図７に示すように、ランプ２に印加される電圧が６０Ｖ未満４０Ｖ以上であるときにランプ２に供給される電流に比べて、第１の電流及び第２の電流は制限された電流であって、ランプ２に印加される電圧が４０Ｖ未満であるときには第１の電流または第２の電流がランプ２に供給される。
【００７０】
ランプ２に印加される電圧が小さいときは、ランプ２の点灯開始からの経過時間が短い時間であって、例えば図２及び図７で示す一例においては、ランプ２に印加される電圧が４０Ｖ未満であるときは、ランプ２の点灯開始からの経過時間が３０秒よりも短い時間である。従って、第１の電流または第２の電流が供給され続けるランプ２の点灯開始時は、ランプ２に印加される電圧が所定の電圧以上（図７に示す一例においては４０Ｖ以上）になるまでの時間である。即ち、ランプ２の点灯開始時においてランプ２の使用頻度に応じてランプ２に供給される第１の電流または第２の電流は、ランプ２に印加される電圧が所定の電圧以上になるまでその電流が供給され続ける。
【００７１】
以上のように、制御部１１は、ランプ２の点灯開始時においてランプ２に供給される電流を、ランプ２の使用頻度に応じて制御できるように構成されており、本実施形態においては、ユーザがランプ２の使用頻度に応じた点灯モードを選択することにより、制御部１１がランプ２の使用頻度に応じた制御を行う構成となっている。即ち、制御部１１は、操作部９を用いて選択された点灯モードに基づいて、ランプ２の使用頻度が高いか否かを判定する。
【００７２】
より具体的には、制御部１１は、点灯モードが通常モードであれば、ランプ２の使用頻度が高くないと判定し、点灯モードが長寿命モードであれば、ランプ２の使用頻度が高いと判定する。そして、制御部１１は、ランプ２の使用頻度が高くないと判定したときには、ランプ２の点灯開始時において第１の電流をランプ２に供給するようにランプ駆動部６を制御するとともに、ランプ２の使用頻度が高いと判定したときには、ランプ２の点灯開始時において第２の電流をランプ２に供給するようにランプ駆動部６を制御する。
【００７３】
ランプ２の使用頻度は、プロジェクタ１の電源オンと電源オフ（即ち、ランプ２への電流の供給の開始と停止）の切り替えに関連する。例えば、映像を表示する時間が長いためにプロジェクタ１の電源オンと電源オフの切り替えが頻繁に行われない場合には、ランプ２の使用頻度は低い。これに対して、映像を表示する時間が短くプロジェクタ１の電源オンと電源オフの切り替えが頻繁に行われる場合には、ランプ２の使用頻度は高い。ランプ２の使用頻度が高いときには、点灯開始時にランプ２に負荷を掛ける回数が多くランプ２の寿命が低下する場合がある。
【００７４】
従って、プロジェクタ１の電源オンと電源オフの切り替えが頻繁に行われる用途でプロジェクタ１が使用される場合には、制御部１１は、長寿命モードでランプ２を点灯させることにより、点灯開始時においてランプ２に掛かる負荷を低減させることができる。なお、プロジェクタ１の電源オンと電源オフの切り替えが頻繁に行われない用途でプロジェクタ１が使用される場合には、制御部１１は、通常モードでランプ２を点灯させることにより、ランプ２が発する光の照度を長寿命モードに比べて早く上げることができる。
【００７５】
本実施形態によれば、以下の作用効果を得ることができる。
（１）光を投射することによって映像を表示するプロジェクタ１は、ランプ２と、ランプ２に電流を供給することによりランプ２を駆動するランプ駆動部６と、ランプ２に供給される電流を制御する制御部１１とを備えている。そして、制御部１１は、ランプ駆動部６を制御することにより、ランプ２の点灯開始時においてランプ２に供給される電流を、ランプ２の使用頻度に応じて制御できるように構成されている。このため、プロジェクタ１の電源オンと電源オフの切り替えが頻繁に行われない場合には、第１の電流がランプ２に供給されるようにランプ駆動部６を制御し、プロジェクタ１の電源オンと電源オフの切り替えが頻繁に行われる場合には、第２の電流がランプ２に供給されるようにランプ駆動部６を制御するようにプロジェクタ１を構成することができる。このように構成することによって、ランプ２の使用頻度が高い場合には、ランプ２の点灯開始時においてランプ２に供給される電流を小さくして、ランプ２に掛かる負荷を低減することができる。その結果、ランプ２の使用頻度に応じて点灯開始時においてランプ２に掛かる負荷を低減することができ、ランプ２の寿命をより向上させることができる。
【００７６】
（２）プロジェクタ１は、ランプ２の点灯方式が設定される複数の点灯モードを有し、ランプ２の使用頻度に応じた点灯モードを選択するためにユーザにより操作される操作部９を備えており、制御部１１は、操作部９を用いて選択された点灯モードに基づいて、ランプ２の使用頻度が高いか否かを判定する。このため、ユーザが制御部１１の判定に関与することができ、ランプ２の点灯開始時においてランプ２に供給される電流を、ユーザの操作により制御することができる。
【００７７】
（３）プロジェクタ１は、ランプ２の点灯開始時においてランプ２に供給される電流についての情報を記憶する記憶部１０を備えており、制御部１１は、操作部９を用いて選択された点灯モードに基づいて上記情報を記憶部１０から取得し、さらに、取得した情報に基づいてランプ駆動部６を制御する。このため、プロジェクタ１が備える記憶部１０に記憶されている情報に基づいて、ランプ２の点灯開始時においてランプ２に供給する電流を制御することができる。
【００７８】
（４）プロジェクタ１は、点灯モードを選択するためにユーザにより参照される映像を生成する映像生成部３を備えている。このため、ユーザは生成された映像を参照することにより、ランプ２の寿命を向上させるための点灯モードを容易に選択することができる。
【００７９】
（５）制御部１１は、ランプ２の使用頻度が高いか否かを判定する。そして、制御部１１は、ランプ２の使用頻度が高くないと判定したときには、ランプ２の点灯開始時において第１の電流をランプ２に供給するようにランプ駆動部６を制御するとともに、ランプ２の使用頻度が高いと判定したときには、ランプ２の点灯開始時において第２の電流をランプ２に供給するようにランプ駆動部６を制御する。従って、制御部１１は、ランプ２の使用頻度が高いか否かを判定して、ランプ２の使用頻度が高いと判定したときには、ランプ２の点灯開始時において、比較的小さい電流（即ち、第１の電流に比べて小さい第２の電流）をランプ２に供給するように、ランプ駆動部６を制御する。このため、制御部１１によってランプ２の使用頻度が高いと判定されたときに、ランプ２に掛かる負荷が低減される。
【００８０】
（６）ランプ２の点灯開始時においてランプ２の使用頻度に応じてランプ２に供給される電流は、ランプ２に印加される電圧が所定の電圧以上になるまで供給され続ける。このため、ランプ２を駆動させるために適切な電圧がランプ２に印加されるまでの時間を利用して、ランプ２の寿命を向上させることができる。
【００８１】
（第２の実施形態）
次に、本発明の第２の実施形態について、図８〜図１０を参照して説明する。なお、本実施形態に係る投写型映像表示装置は、上記第１の実施形態のプロジェクタ１と同様の構成であるため、上記第１の実施形態と同様の構成部分については同一の符号を付して、その説明を省略する。
【００８２】
本実施形態は、ユーザにより点灯モードが選択されることなく、制御部１１がランプ２の使用頻度に応じた制御を行うように構成された形態である。具体的には、本実施形態に係るプロジェクタ１は、制御部１１がランプ２の平均の点灯時間に応じてランプ駆動部６を制御するように構成されている。
【００８３】
プロジェクタ１が電源オンとなってから電源オフとなるまでにおいて、ランプ２の点灯時間を算出する際のプロジェクタ１の動作の流れを、図８を参照して説明する。図８に示すプロジェクタ１の一連の動作は、例えば、操作部９が操作されることに起因して、電源オンの信号が制御部１１に入力されることによりスタートする。
【００８４】
図８に示すように、まず、プロジェクタ１は、ランプ２の点灯回数をカウントする（ステップＳ２１）。具体的には、ステップＳ２１においては、電源オンと電源オフの切り替えが行われてランプ２の点灯と消灯が繰り返されるプロジェクタ１において、制御部１１が、ランプ２が点灯された回数である総点灯回数を算出する。即ち、総点灯回数は、電源オフから電源オンへ切り替えられた回数であって、電源オフから電源オンへ初めて切り替えられたときからカウントされた累積の回数である。点灯回数の情報は記憶部１０に記憶され、プロジェクタ１が電源オフの状態であっても消去されることはない。
【００８５】
次いで、プロジェクタ１は、ランプ駆動部６によりランプ２に電力を供給してランプ２を点灯するとともに（ステップＳ２２）、ランプ２の点灯に伴い、ランプ２の点灯時間の計時を開始する（ステップＳ２３）。ランプ２の点灯時間は、制御部１１がタイマを用いて計時する。
【００８６】
次いで、プロジェクタ１は、電源オフの信号が入力されたか否かを判断する（ステップＳ２４）。この判断は、操作部９が操作されることに起因して制御部１１に入力される電源オフの信号に基づいて、制御部１１により判断される。ステップＳ２４において電源オフの信号が入力されていないと判断されたときには、再びステップＳ２４の動作が繰り返される。即ち、電源オフの信号が制御部１１に入力されない間は、ランプ２の点灯時間の計時は継続されている状態である。
【００８７】
ステップＳ２４において電源オフの信号が入力されたと判断されたときには、プロジェクタ１は、ランプ２への電力の供給を停止させてランプ２を消灯するとともに（ステップＳ２５）、ランプ２の消灯に伴い、ランプ２の点灯時間の計時を終了する（ステップＳ２６）。
【００８８】
次いで、プロジェクタ１は、上記ステップＳ２３〜ステップＳ２６において計測されたランプ２の点灯時間を用いて、これまでのランプ２の総点灯時間を算出する（ステップＳ２７）。
【００８９】
具体的には、ステップＳ２７においては、電源オンと電源オフの切り替えが行われてランプ２の点灯と消灯が繰り返されるプロジェクタ１において、制御部１１が、ランプ２の点灯時間の総点灯時間を算出する。即ち、総点灯時間は、初めてランプ２が点灯してからの累積の点灯時間である。点灯時間の情報は記憶部１０に記憶され、プロジェクタ１が電源オフの状態であっても消去されることはない。
【００９０】
次いで、プロジェクタ１は、ランプ２の使用頻度の指標となる、ランプ２の平均の点灯時間を算出する（ステップＳ２８）。具体的には、ステップＳ２８においては、制御部１１が、ステップＳ２６において算出された総点灯時間をステップＳ２１においてカウントされた点灯回数で除することにより、ランプ２の平均の点灯時間である平均点灯時間を算出する。
【００９１】
そして、プロジェクタ１は、ステップＳ２８において算出されたランプ２の平均点灯時間を記憶部１０に記憶する（ステップＳ２９）。具体的には、ステップＳ２９においては、制御部１１が、ランプ２の平均点灯時間の情報を記憶部１０に記憶させる。
【００９２】
以上のようにして、ランプ２の平均点灯時間が算出されて、平均点灯時間が記憶部１０に記憶されることにより、ランプ２の点灯開始時においてランプ２に供給される電流が設定される。ステップＳ２９で平均点灯時間が記憶部１０に記憶された後、電源オンと電源オフが切り替えられてプロジェクタ１が電源オンの状態となったときには、記憶部１０に記憶されているランプ２の平均点灯時間に基づいて、ランプ２に供給される電流が制御部１１により制御される。
【００９３】
ここで、ランプ２の平均点灯時間に応じてランプ２に供給される電流を具体的に説明する。図９に示すように、平均点灯時間が所定の時間以上であれば、ランプ２の点灯開始時において第１の電流がランプ２に供給される。即ち、例えば図９に示すように、平均点灯時間が１時間以上であるときには、第１の電流がランプ２に供給される。
【００９４】
一方、平均点灯時間が所定の時間未満であれば、ランプ２の点灯開始時において第２の電流がランプ２に供給される。即ち、例えば図９に示すように、平均点灯時間が１時間未満であるときには、第１の電流に比べて小さい第２の電流がランプ２に供給される。本実施形態においては、平均点灯時間に応じて第２の電流は連続的に変化し、平均点灯時間が２０分未満であるときに、ランプ２に供給される第２の電流が最も小さくなる。具体的には、例えば、平均点灯時間が６０分未満２０分以上であるときには、平均点灯時間が短くなるほど小さい第２の電流がランプ２に供給される。従って、上記第１の実施形態に比べて、ランプ２に供給される電流は細かく制御される。なお、第２の電流は平均点灯時間に応じて変動するが、ランプ２の点灯開始時においてランプ２に供給される第２の電流は一定である。
【００９５】
次に、プロジェクタ１が電源オンの状態となったときに、ランプ２の平均点灯時間に基づくプロジェクタ１の動作の流れを示すフローチャートを、図１０を参照して説明する。図１０に示すプロジェクタ１の一連の動作は、操作部９が操作されることに起因して、電源オンの信号が制御部１１に入力されることによりスタートし、ランプ２が点灯するまでに終了する。即ち、図１０に示す一連の動作は、図８におけるステップＳ２２よりも前に行われる。
【００９６】
図１０に示すように、まず、プロジェクタ１は、記憶部１０に記憶されている平均点灯時間を取得して（ステップＳ３１）、プロジェクタ１は、平均点灯時間に応じた電流をランプ２の点灯開始時においてランプ２に供給する（ステップＳ３２）。
【００９７】
具体的には、ステップＳ３１及びＳ３２においては、制御部１１が、記憶部１０から平均点灯時間の情報を取得し、平均点灯時間に応じた第１の電流または第２の電流を、消灯状態のランプ２に供給するようにランプ駆動部６を制御する。なお、記憶部１０にステップＳ２８において算出された平均点灯時間が記憶されていない場合（例えば、プロジェクタ１の初回使用時）には、制御部１１は、予め設定されているデフォルトの平均点灯時間（例えば２時間）に応じた電流を消灯状態のランプ２に供給するようにランプ駆動部６を制御する。
【００９８】
以上のように、本実施形態においても、制御部１１は、ランプ２の点灯開始時においてランプ２に供給される電流を、ランプ２の使用頻度に応じて制御できるように構成されており、本実施形態においては、制御部１１が、ランプ２の使用状況に基づいてランプ２の使用頻度が高いか否かを判定する構成となっている。具体的には、制御部１１は、ランプ２の点灯時間に基づいて、ランプ２の使用頻度が高いか否かを判定する。
【００９９】
より具体的には、制御部１１は、ランプ２の平均の点灯時間が所定の時間以上であれば、ランプ２の使用頻度が高くないと判定し、ランプ２の平均の点灯時間が所定の時間未満であれば、ランプ２の使用頻度が高いと判定する。そして、制御部１１は、ランプ２の使用頻度が高くないと判定したときには、ランプ２の点灯開始時において第１の電流をランプ２に供給するようにランプ駆動部６を制御するとともに、ランプ２の使用頻度が高いと判定したときには、ランプ２の点灯開始時において第２の電流をランプ２に供給するようにランプ駆動部６を制御する。
【０１００】
従って、プロジェクタ１の電源オンと電源オフの切り替えが頻繁に行われる用途でプロジェクタ１が使用される場合には、ランプ２の点灯時間が短くなることにより、ランプ２の点灯開始時に第２の電流がランプ２に供給されて、点灯開始時においてランプ２に掛かる負荷を低減させることができる。なお、プロジェクタ１の電源オンと電源オフの切り替えが頻繁に行われない用途でプロジェクタ１が使用される場合には、ランプ２の点灯時間が長くなることにより、ランプ２の点灯開始時に第１の電流がランプ２に供給されて、ランプ２が発する光の照度を早く上げることができる。
【０１０１】
本実施形態によれば、上記（１）、（５）、及び（６）の作用効果に加えて、以下の作用効果を得ることができる。
（７）制御部１１は、ランプ２の使用状況に基づいてランプ２の使用頻度が高いか否かを判定する。このため、ユーザが制御部１１の判定に関与せずに、ランプ２の使用頻度が高いか否かを制御部１１に判定させることができる。
【０１０２】
（８）ランプ２の点灯時間に基づいて、ランプ２の使用頻度が高いか否かが判定される。従って、計時されたランプ２の点灯時間を用いて、ランプ２の使用頻度が高いか否かを制御部１１に判定させることができる。
【０１０３】
（９）ランプ２の使用頻度の判定基準となるランプ２の点灯時間は、繰り返し点灯されるランプ２の複数回の点灯に基づく点灯時間である。従って、ランプ２の平均点灯時間を用いて、全般的な傾向としてランプ２の使用頻度が高いか否かを制御部１１に判定させることができる。
【０１０４】
（１０）制御部１１は、ランプ２の点灯時間が所定の時間に比べて短い場合には、ランプ２の使用頻度が高いと判定する。従って、ランプ２の点灯時間と所定の時間との長さを対比させることにより、ランプ２の使用頻度が高いか否かを制御部１１に判定させることができる。
【０１０５】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【０１０６】
・上記第２の実施形態においては、ランプ２の使用頻度の判定基準は、電源オンから電源オフへ切り替えられるまでのランプ２の点灯時間の平均であったが、判定基準は平均点灯時間に限られない。
【０１０７】
・第１の実施形態と第２の実施形態とを組み合わせてもよい。即ち、例えば、プロジェクタ１が、ランプ２の点灯方式が設定される点灯モードとして通常モードと長寿命モードとオートモードとを有し、オートモードにおいては、ランプ２の使用状況に基づいてランプ２の使用頻度が高いか否かが判定されるように構成してもよい。
【０１０８】
・上記実施形態においては、操作部９は、プロジェクタ１に設けられたボタン等により構成されていたが、操作部９は、プロジェクタ１本体に設けられていなくてもよい。即ち、プロジェクタ１がリモコン等の遠隔操作装置を備え、この遠隔操作装置に設けられたボタン等が操作部９として構成されていてもよい。
【０１０９】
・上記実施形態においては、映像信号入力部７は、ケーブル等が接続される端子により構成されていたが、アンテナを備えた無線通信モジュールにより構成されていてもよい。即ち、プロジェクタ１への映像信号の入力手段は有線であっても無線であってもよい。
【符号の説明】
【０１１０】
１…プロジェクタ（投写型映像表示装置）、２…ランプ、３…映像生成部、４…投写レンズ、５…電源回路、６…ランプ駆動部、７…映像信号入力部、８…映像信号処理部、９…操作部、１０…記憶部、１１…制御部。
【図１】
2011023246.tif 000003
【図２】
2011023246.tif 000004
【図３】
2011023246.tif 000005
【図４】
2011023246.tif 000006
【図５】
2011023246.tif 000007
【図６】
2011023246.tif 000008
【図７】
2011023246.tif 000009
【図８】
2011023246.tif 000010
【図９】
2011023246.tif 000011
【図１０】
2011023246.tif 000012